【手続補正書】
【提出日】平成15年6月24日(2003.6.24)
【手続補正１】
【補正対象書類名】明細書
【補正対象項目名】特許請求の範囲
【補正方法】変更
【補正の内容】
【特許請求の範囲】
【請求項１】
マスタがロール状に巻かれたマスタロールから上記マスタを繰り出し可能に貯容するマスタ貯容手段と、上記マスタロールから繰り出される上記マスタを製版する製版手段と、上記マスタを切断する裁断手段とを具備する製版書込み装置において、
上記マスタ貯容手段を備え、かつ、上記製版書込み装置の本体に挿入された製版挿入位置と、この製版挿入位置から外れた、上記マスタロールの着脱を行うロール着脱位置との間で移動自在なマスタ保持ユニットと、
上記マスタ保持ユニットを、上記製版挿入位置と上記ロール着脱位置との間で移動自在に案内する案内手段と、
上記マスタ保持ユニットに設けられた、上記マスタロールから繰り出される上記マスタの先端部を載置するマスタ案内手段と、
上記マスタ保持ユニットに設けられた、上記マスタの先端部を介して上記マスタ案内手段に接触し上記マスタを搬送するマスタ搬送手段と、
上記マスタ搬送手段を駆動するマスタ搬送駆動手段と、
を有することを特徴とする製版書込み装置。
【請求項２】
請求項１記載の製版書込み装置において、
上記マスタ貯容手段に設けられた、上記マスタ保持ユニットが上記製版挿入位置を占めたとき、上記マスタロールの端面に当接可能であって上記マスタロールの上記端面の位置決めをする位置決め位置と、上記マスタ保持ユニットが上記ロール着脱位置を占めたとき、上記マスタロールの上記端面から離間する非位置決め位置との間で移動自在なロール位置決め手段と、
上記ロール位置決め手段を、上記位置決め位置と上記非位置決め位置との間で移動自在に案内するロール位置決め案内手段と、
を有することを特徴とする製版書込み装置。
【請求項３】
請求項１記載の製版書込み装置において、
上記マスタ貯容手段に設けられた、上記マスタロールの端面に当接可能であって上記マスタロールの上記端面の位置決めをする位置決め位置と上記マスタロールの上記端面から離間する離間位置との間で移動自在なロール位置決め手段と、上記ロール位置決め手段を上記位置決め位置に弾性的に付勢する弾性付勢手段とを有することを特徴とする製版書込み装置。
【請求項４】
請求項２または３記載の製版書込み装置において、
上記マスタロールの軸方向には、上記マスタをロール状に巻き付けるためのパイプ状の芯管が設けられており、
上記ロール位置決め手段は、上記芯管に嵌入して位置決めをする略円錐状のロールフランジを有することを特徴とする製版書込み装置。
【請求項５】
請求項４記載の製版書込み装置において、
上記マスタロールの上記端面は、上記芯管の両端と同じ位置に形成されており、上記ロールフランジには、上記マスタロールの上記端面に当接可能であって、上記マスタロールから上記マスタを繰り出し回転する際の回転方向と逆方向の抵抗力を生じさせる摩擦抵抗部が備えられていることを特徴とする製版書込み装置。
【請求項６】
請求項１ないし５の何れか一つに記載の製版書込み装置において、
上記マスタ搬送手段は、上記マスタ保持ユニットが上記ロール着脱位置を占めたとき、上記マスタ案内手段に対して接離可能に構成されていることを特徴とする製版書込み装置。
【請求項７】
請求項１ないし６の何れか一つに記載の製版書込み装置において、
上記マスタ搬送手段は、上記マスタ保持ユニットが上記製版挿入位置を占めたとき、上記マスタ案内手段に接触し、上記マスタ保持ユニットが上記ロール着脱位置を占めたとき、上記マスタ案内手段から離間することを特徴とする製版書込み装置。
【請求項８】
請求項１ないし７の何れか一つに記載の製版書込み装置において、
上記マスタ搬送駆動手段は上記本体側に設けられていて、上記マスタ保持ユニットが上記製版挿入位置を占めたとき、上記マスタ搬送駆動手段からの駆動力が上記マスタ搬送手段に伝達され、上記マスタ保持ユニットが上記ロール着脱位置を占めたとき、上記マスタ搬送駆動手段からの駆動力が上記マスタ搬送手段に非伝達されることを特徴とする製版書込み装置。
【請求項９】
請求項１ないし８の何れか一つに記載の製版書込み装置において、
上記製版手段は、上記マスタを選択的に加熱製版するサーマルヘッドと、このサーマルヘッドとの間に上記マスタを押圧しながら回転するプラテンローラとを有することを特徴とする製版書込み装置。
【請求項１０】
請求項９記載の製版書込み装置において、
上記サーマルヘッドと上記プラテンローラとは、接離可能に構成されており、上記マスタ案内手段は、上記マスタ保持ユニットが上記製版挿入位置を占めたとき、上記サーマルヘッドまたは上記プラテンローラに近接もしくは当接することを特徴とする製版書込み装置。
【請求項１１】
請求項９または１０記載の製版書込み装置において、
上記マスタ保持ユニットが上記製版挿入位置を占めたとき、上記マスタ案内手段に係合して上記サーマルヘッドと上記プラテンローラとの押圧部近傍に上記マスタ搬送手段によって搬送される上記マスタの先端を位置決め導入するマスタ導入手段を、上記押圧部近傍と上記マスタ案内手段との間に設けたことを特徴とする製版書込み装置。
【請求項１２】
マスタがロール状に巻かれたマスタロールから上記マスタを繰り出し可能に貯容するマスタ貯容手段と、上記マスタロールから繰り出される上記マスタを製版する製版手段と、上記マスタを切断する裁断手段とを具備する製版書込み装置において、
上記マスタ貯容手段を備え、かつ、上記マスタロールの着脱が可能なマスタ保持部と、
上記マスタ保持部の近傍に設けられた、上記マスタロールから繰り出される上記マスタの先端部を載置するマスタ案内手段と、
上記マスタ保持部の近傍に設けられた、上記マスタの先端部を介して上記マスタ案内手段に接触し上記マスタを搬送するマスタ搬送手段と、
上記マスタ搬送手段を駆動するマスタ搬送駆動手段とを有し、
上記製版手段、上記マスタ保持部、上記マスタ案内手段および上記マスタ搬送手段が製版ユニットを構成していて、この製版ユニットは、印刷装置の本体に挿入された製版ユニット挿入位置と、この製版ユニット挿入位置から外れた、上記マスタロールの着脱を行うロール着脱位置との間で移動自在であることを特徴とする製版書込み装置。
【請求項１３】
請求項１２記載の製版書込み装置において、
上記マスタ貯容手段に設けられた、上記製版ユニットが上記製版ユニット挿入位置を占めたとき、上記マスタロールの端面に当接可能であって上記マスタロールの上記端面の位置決めをする位置決め位置と、上記製版ユニットが上記ロール着脱位置を占めたとき、上記マスタロールの上記端面から離間する非位置決め位置との間で移動自在なロール位置決め手段と、
上記ロール位置決め手段を、上記位置決め位置と上記非位置決め位置との間で移動自在に案内するロール位置決め案内手段と、
を有することを特徴とする製版書込み装置。
【請求項１４】
請求項１２記載の製版書込み装置において、
上記マスタ貯容手段に設けられた、上記マスタロールの端面に当接可能であって上記マスタロールの上記端面の位置決めをする位置決め位置と上記マスタロールの上記端面から離間する離間位置との間で移動自在なロール位置決め手段と、
上記ロール位置決め手段を上記位置決め位置に弾性的に付勢する弾性付勢手段とを有することを特徴とする製版書込み装置。
【請求項１５】
請求項１３または１４記載の製版書込み装置において、
上記マスタロールの軸方向には、上記マスタをロール状に巻き付けるためのパイプ状の芯管が設けられており、
上記ロール位置決め手段は、上記芯管に嵌入して位置決めをする略円錐状のロールフランジを有することを特徴とする製版書込み装置。
【請求項１６】
請求項１５記載の製版書込み装置において、
上記マスタロールの上記端面は、上記芯管の両端と同じ位置に形成されており、上記ロールフランジには、上記マスタロールの上記端面に当接可能であって、上記マスタロールから上記マスタを繰り出し回転する際の回転方向と逆方向の抵抗力を生じさせる摩擦抵抗部が備えられていることを特徴とする製版書込み装置。
【請求項１７】
請求項１２ないし１６の何れか一つに記載の製版書込み装置において、
上記マスタ搬送駆動手段は上記印刷装置の本体側に設けられていて、上記製版ユニットが上記製版ユニット挿入位置を占めたとき、上記マスタ搬送駆動手段からの駆動力が上記マスタ搬送手段に伝達され、上記製版ユニットが上記ロール着脱位置を占めたとき、上記マスタ搬送駆動手段からの駆動力が上記マスタ搬送手段に非伝達されることを特徴とする製版書込み装置。
【請求項１８】
請求項１２ないし１７の何れか一つに記載の製版書込み装置において、
上記製版手段は、上記マスタを選択的に加熱製版するサーマルヘッドと、このサーマルヘッドとの間に上記マスタを押圧しながら回転するプラテンローラとを有することを特徴とする製版書込み装置。
【請求項１９】
請求項９，１０または１１記載の製版書込み装置において、
上記サーマルヘッドと上記プラテンローラとは、接離可能に構成されており、
上記サーマルヘッドと上記プラテンローラとの接離動作を行わせるプラテン圧制御手段と、
上記マスタ搬送手段の動作開始時期を検知する作動検知手段と、
上記マスタの先端が繰り出されるマスタ搬送路上に配置された、上記マスタの先端を検知する先端検知手段と、
上記作動検知手段からの検知信号に基づき、上記マスタの先端が上記先端検知手段により検知されるまでの間、上記マスタ搬送駆動手段をして上記マスタ搬送手段を動作させて上記マスタを繰り出すとともに、上記先端検知手段による上記マスタの先端の検知信号に基づき、上記プラテン圧制御手段をして上記サーマルヘッドと上記プラテンローラとによる上記マスタの押圧可能な状態を設定する制御手段と、
を有することを特徴とする製版書込み装置。
【請求項２０】
請求項１８記載の製版書込み装置において、
上記サーマルヘッドと上記プラテンローラとは、接離可能に構成されており、
上記サーマルヘッドと上記プラテンローラとの接離動作を行わせるプラテン圧制御手段と、
上記マスタ搬送手段の動作開始時期を検知する作動検知手段と、
上記マスタの先端が繰り出されるマスタ搬送路上に配置された、上記マスタの先端を検知する先端検知手段と、
上記作動検知手段からの検知信号に基づき、上記マスタの先端が上記先端検知手段により検知されるまでの間、上記マスタ搬送駆動手段をして上記マスタ搬送手段を動作させて上記マスタを繰り出すとともに、上記先端検知手段による上記マスタの先端の検知信号に基づき、上記プラテン圧制御手段をして上記サーマルヘッドと上記プラテンローラとによる上記マスタの押圧可能な状態を設定する制御手段と、
を有することを特徴とする製版書込み装置。
【請求項２１】
請求項１９記載の製版書込み装置において、
上記作動検知手段は、上記マスタ保持ユニットが上記製版挿入位置を占めていることを検知するマスタセット検知手段からなり、
上記制御手段は、上記マスタセット検知手段により上記マスタ保持ユニットが上記製版挿入位置から外れたことが検知されたときに、上記プラテン圧制御手段をして、上記サーマルヘッドと上記プラテンローラとによる上記マスタの押圧が解除される状態に設定することを特徴とする製版書込み装置。
【請求項２２】
請求項２０記載の製版書込み装置において、
上記作動検知手段は、上記製版ユニットが上記製版ユニット挿入位置を占めていることを検知するマスタセット検知手段からなり、
上記制御手段は、上記マスタセット検知手段により上記製版ユニットが上記製版ユニット挿入位置から外れたことが検知されたときに、上記プラテン圧制御手段をして、上記サーマルヘッドと上記プラテンローラとによる上記マスタの押圧が解除される状態に設定することを特徴とする製版書込み装置。
【請求項２３】
請求項９，１０，１１または１８記載の製版書込み装置において、
上記サーマルヘッドと上記プラテンローラとの接離動作を行わせるプラテン圧制御手段と、
上記マスタ搬送手段の動作開始時期を設定する作動設定手段と、
上記マスタの先端が繰り出されるマスタ搬送路上に配置された、上記マスタの先端を検知する先端検知手段と、
上記作動設定手段からの設定信号に基づき、上記マスタの先端が上記先端検知手段により検知されるまでの間、上記マスタ搬送駆動手段をして上記マスタ搬送手段を動作させて上記マスタを繰り出すとともに、上記先端検知手段による上記マスタの先端の検知信号に基づき、上記プラテン圧制御手段をして上記サーマルヘッドと上記プラテンローラとによる上記マスタの押圧可能な状態を設定する制御手段と、
を有することを特徴とする製版書込み装置。
【請求項２４】
請求項１９ないし２３の何れか一つに記載の製版書込み装置において、
上記制御手段は、上記先端検知手段からの検知信号に基づいて、上記プラテン圧制御手段をして、上記サーマルヘッドと上記プラテンローラとによる上記マスタの押圧動作を断続させることを特徴とする製版書込み装置。
【請求項２５】
請求項１ないし２４の何れか一つに記載の製版書込み装置において、
上記マスタ搬送手段は、スポンジ状のローラからなることを特徴とする製版書込み装置。
【請求項２６】
請求項１ないし２５の何れか一つに記載の製版書込み装置において、
上記製版手段は、上記マスタを選択的に加熱製版するサーマルヘッドと、このサーマルヘッドとの間に上記マスタを押圧しながら回転するプラテンローラとを有し、
上記マスタ搬送駆動手段は、上記プラテンローラを回転させるプラテンローラ駆動手段を兼ねていることを特徴とする製版書込み装置。
【請求項２７】
請求項１ないし２６の何れか一つに記載の製版書込み装置において、
上記製版手段は、上記マスタを選択的に加熱製版するサーマルヘッドと、このサーマルヘッドとの間に上記マスタを押圧しながら回転するプラテンローラとを有し、
上記プラテンローラによる上記マスタの搬送力は、上記マスタ搬送手段による上記マスタの搬送力よりも大きいことを特徴とする製版書込み装置。
【請求項２８】
請求項１ないし２７の何れか一つに記載の製版書込み装置において、
上記製版手段は、上記マスタを選択的に加熱製版するサーマルヘッドと、このサーマルヘッドとの間に上記マスタを押圧しながら回転するプラテンローラとを有し、
上記サーマルヘッドまたは上記プラテンローラの何れか一方を揺動自在に支持する被揺動部材と、この被揺動部材に選択的に接触して上記サーマルヘッドまたは上記プラテンローラの何れか一方を揺動させる揺動部材とを有し、
上記サーマルヘッドと上記プラテンローラとが上記マスタを介して接触しているとき、上記揺動部材は上記被揺動部材から離間していることを特徴とする製版書込み装置。
【請求項２９】
請求項１ないし２８の何れか一つに記載の製版書込み装置において、
上記マスタの厚さが、３〜３０μｍであることを特徴とする製版書込み装置。
【請求項３０】
請求項９，１０または１１記載の製版書込み装置において、
上記マスタ保持ユニットが上記製版挿入位置を占めていることを検知するマスタセット検知手段と、
上記マスタ貯容手段における上記マスタロールの存在を検知するマスタ検知手段と、
上記マスタセット検知手段により上記マスタ保持ユニットが上記製版挿入位置を占めていることが検知されたときであって、上記マスタ検知手段により上記マスタ貯容手段における上記マスタロールの存在が検知されないときに、上記マスタの繰り出しを停止することを判別する制御手段と、
を有することを特徴とする製版書込み装置。
【請求項３１】
請求項９，１０または１１記載の製版書込み装置において、
上記マスタ保持ユニットが上記製版挿入位置を占めていることを検知するマスタセット検知手段と、
上記マスタ貯容手段における上記マスタロールの使用限界を検知するマスタ検知手段と、
上記マスタセット検知手段により上記マスタ保持ユニットが上記製版挿入位置を占めていることが検知されたときであって、上記マスタ検知手段により上記マスタ貯容手段における上記マスタロールの使用限界が検知されたときに、上記マスタの繰り出しを停止することを判別する制御手段と、
を有することを特徴とする製版書込み装置。
【請求項３２】
請求項１２ないし１８の何れか一つに記載の製版書込み装置において、
上記製版ユニットが上記製版ユニット挿入位置を占めていることを検知するマスタセット検知手段と、
上記マスタ貯容手段における上記マスタロールの存在を検知するマスタ検知手段と、
上記マスタセット検知手段により上記製版ユニットが上記製版ユニット挿入位置を占めていることが検知されたときであって、上記マスタ検知手段により上記マスタ貯容手段における上記マスタロールの存在が検知されないときに、上記マスタの繰り出しを停止することを判別する制御手段と、
を有することを特徴とする製版書込み装置。
【請求項３３】
請求項１２ないし１８の何れか一つに記載の製版書込み装置において、
上記製版ユニットが上記製版ユニット挿入位置を占めていることを検知するマスタセット検知手段と、
上記マスタ貯容手段における上記マスタロールの使用限界を検知するマスタ検知手段と、
上記マスタセット検知手段により上記製版ユニットが上記製版ユニット挿入位置を占めていることが検知されたときであって、上記マスタ検知手段により上記マスタ貯容手段における上記マスタロールの使用限界が検知されたときに、上記マスタの繰り出しを停止することを判別する制御手段と、
を有することを特徴とする製版書込み装置。
【請求項３４】
請求項９，１０または１１記載の製版書込み装置において、
上記マスタ保持ユニットが上記製版挿入位置を占めていることを検知するマスタセット検知手段と、
上記マスタの先端を検知する先端検知手段と、
上記マスタのジャムを表示する液晶表示装置と、
上記マスタセット検知手段により上記マスタ保持ユニットが上記製版挿入位置を占めていることが検知され、かつ、上記マスタ搬送駆動手段の所定時間の駆動によって上記マスタ搬送手段が駆動されたときであって、上記先端検知手段により上記マスタの先端が検知されないときに、上記液晶表示装置をして上記マスタのジャム表示をさせる制御手段と、
を有することを特徴とする製版書込み装置。
【請求項３５】
請求項１２ないし１８の何れか一つに記載の製版書込み装置において、
上記製版ユニットが上記製版ユニット挿入位置を占めていることを検知するマスタセット検知手段と、
上記マスタの先端を検知する先端検知手段と、
上記マスタのジャムを表示する液晶表示装置と、
上記マスタセット検知手段により上記製版ユニットが上記製版ユニット挿入位置を占めていることが検知され、かつ、上記マスタ搬送駆動手段の所定時間の駆動によって上記マスタ搬送手段が駆動されたときであって、上記先端検知手段により上記マスタの先端が検知されないときに、上記液晶表示装置をして上記マスタのジャム表示をさせる制御手段と、
を有することを特徴とする製版書込み装置。
【手続補正２】
【補正対象書類名】明細書
【補正対象項目名】００１３
【補正方法】変更
【補正の内容】
【００１３】
すなわち、上記▲１▼ないし▲４▼に問題点を列挙したように、マスタロール交換時の作業が複雑で分かりにくく、かつ、面倒であり、かなりの熟練を必要とすることからだれでもできる訳ではなく、専任のオペレータ等が必要となる問題があった。
【手続補正３】
【補正対象書類名】明細書
【補正対象項目名】００４６
【補正方法】変更
【補正の内容】
【００４６】
請求項２９記載の発明は、請求項１ないし２８の何れか一つに記載の製版書込み装置において、上記マスタの厚さが、３〜３０μｍであることを特徴とする。請求項３０記載の発明は、請求項９，１０または１１記載の製版書込み装置において、上記マスタ保持ユニットが上記製版挿入位置を占めていることを検知するマスタセット検知手段と、上記マスタ貯容手段における上記マスタロールの存在を検知するマスタ検知手段と、上記マスタセット検知手段により上記マスタ保持ユニットが上記製版挿入位置を占めていることが検知されたときであって、上記マスタ検知手段により上記マスタ貯容手段における上記マスタロールの存在が検知されないときに、上記マスタの繰り出しを停止することを判別する制御手段とを有することを特徴とする。  
請求項３１記載の発明は、請求項９，１０または１１記載の製版書込み装置において、上記マスタ保持ユニットが上記製版挿入位置を占めていることを検知するマスタセット検知手段と、上記マスタ貯容手段における上記マスタロールの使用限界を検知するマスタ検知手段と、上記マスタセット検知手段により上記マスタ保持ユニットが上記製版挿入位置を占めていることが検知されたときであって、上記マスタ検知手段により上記マスタ貯容手段における上記マスタロールの使用限界が検知されたときに、上記マスタの繰り出しを停止することを判別する制御手段とを有することを特徴とする。  
請求項３２記載の発明は、請求項１２ないし１８の何れか一つに記載の製版書込み装置において、上記製版ユニットが上記製版ユニット挿入位置を占めていることを検知するマスタセット検知手段と、上記マスタ貯容手段における上記マスタロールの存在を検知するマスタ検知手段と、上記マスタセット検知手段により上記製版ユニットが上記製版ユニット挿入位置を占めていることが検知されたときであって、上記マスタ検知手段により上記マスタ貯容手段における上記マスタロールの存在が検知されないときに、上記マスタの繰り出しを停止することを判別する制御手段とを有することを特徴とする。  
請求項３３記載の発明は、請求項１２ないし１８の何れか一つに記載の製版書込み装置において、上記製版ユニットが上記製版ユニット挿入位置を占めていることを検知するマスタセット検知手段と、上記マスタ貯容手段における上記マスタロールの使用限界を検知するマスタ検知手段と、上記マスタセット検知手段により上記製版ユニットが上記製版ユニット挿入位置を占めていることが検知されたときであって、上記マスタ検知手段により上記マスタ貯容手段における上記マスタロールの使用限界が検知されたときに、上記マスタの繰り出しを停止することを判別する制御手段とを有することを特徴とする。  
請求項３４記載の発明は、請求項９，１０または１１記載の製版書込み装置において、上記マスタ保持ユニットが上記製版挿入位置を占めていることを検知するマスタセット検知手段と、上記マスタの先端を検知する先端検知手段と、上記マスタのジャムを表示する液晶表示装置と、上記マスタセット検知手段により上記マスタ保持ユニットが上記製版挿入位置を占めていることが検知され、かつ、上記マスタ搬送駆動手段の所定時間の駆動によって上記マスタ搬送手段が駆動されたときであって、上記先端検知手段により上記マスタの先端が検知されないときに、上記液晶表示装置をして上記マスタのジャム表示をさせる制御手段とを有することを特徴とする。  
請求項３５記載の発明は、請求項１２ないし１８の何れか一つに記載の製版書込み装置において、上記製版ユニットが上記製版ユニット挿入位置を占めていることを検知するマスタセット検知手段と、上記マスタの先端を検知する先端検知手段と、上記マスタのジャムを表示する液晶表示装置と、上記マスタセット検知手段により上記製版ユニットが上記製版ユニット挿入位置を占めていることが検知され、かつ、上記マスタ搬送駆動手段の所定時間の駆動によって上記マスタ搬送手段が駆動されたときであって、上記先端検知手段により上記マスタの先端が検知されないときに、上記液晶表示装置をして上記マスタのジャム表示をさせる制御手段とを有することを特徴とする。
【手続補正４】
【補正対象書類名】明細書
【補正対象項目名】００９５
【補正方法】変更
【補正の内容】
【００９５】
サーマルヘッド５６は、ヘッドベース５７の揺動端側に載置固定されている。ヘッドベース５７は、その両側壁に形成されたベース軸孔５７ｂに挿通され両側板７８によって支持されているベース軸５７ｃを支点として揺動可能に支持されている。ヘッドベース５７は、例えば鈑金でできていて、断面が下向きに開口した幅広のチャンネル状をなしている。ヘッドベース５７は、ヘッドベース５７の揺動端側に延びてガイド取付部５７ａが形成されている。ヘッドベース５７およびガイド取付部５７ａは、サーマルヘッド５６を揺動自在に支持する被揺動部材の機能を有する。ガイド取付部５７ａ上には、このガイド取付部５７ａに選択的に接触して上記被揺動部材としてのヘッドベース５７およびガイド取付部５７ａを揺動させる揺動部材としての偏心カム５９が配置されている。偏心カム５９は、カム軸５９ａに一体的に取り付けられていて、その軸端にはカムギア６１が固設されている。